(57)【特許請求の範囲】
【請求項１】
顔面パック用マスクを包装するための包装シートであって、
片面が防水面であり、
該防水面の中央に、顔面パック用マスクが配置されるマスク配置部を有し、
該マスク配置部とその周囲の部分との境界に、マスク配置部の周囲の部分をマスク配置部側に折り返すための折り返し用線が形成され、該折り返し用線は、展開した後に折り目が残留することを特徴とする包装シート。
【請求項２】
折り返し用線が易折曲加工されている請求項１に記載の包装シート。
【請求項３】
請求項１または２に記載の包装シートにより顔面パック用マスクが包装されたマスク包装体であって
前記包装シートのマスク配置部に顔面パック用マスクが配置され、
包装シートのマスク配置部の周囲の部分が、前記折り返し用線にて前記顔面パック用マスクを覆うようにマスク配置部側に折り返されていることを特徴とするマスク包装体。
【発明の詳細な説明】
【技術分野】
【０００１】
本発明は、美容に用いられる顔面パック用マスクを包装するための包装シートに関する。また、美容に用いられる顔面パック用マスクが包装されたマスク包装体に関する。
【背景技術】
【０００２】
顔面パック用のマスクは、例えば、特許文献１に記載されているように、折り畳まれて化粧液と共に袋内に収納され、マスクに化粧液が含浸された状態で消費者に販売されている。また、特許文献２に記載されているように、スティック状に巻き回されて袋内に収納され、化粧液とは別個に消費者に販売されることもある。
【特許文献１】特開２００６−３１２４７６号公報
【特許文献２】特開平１０−８１６１２号公報
【発明の開示】
【発明が解決しようとする課題】
【０００３】
特許文献１に記載の方法でマスクを収納した場合には、化粧液が含浸されたマスクを袋から取り出して顔面に密着させることになるが、袋から取り出した後に化粧液がマスクから垂れ落ちて、化粧台、カーペットを含む床、着衣等を汚してしまうことがあった。
また、特許文献２に記載の方法でマスクを収納した場合には、マスクを袋から取り出した後に化粧液を含浸させることになるが、マスクに化粧液を含浸させる際には、そのためのパレット（容器）を用意しなければならない。パレットを用意できない場合には、例えば、掌の上で含浸させることになるが、掌の上で含浸させると、掌にも化粧液が染みこんでしまうため、無駄になる。また、化粧液によって掌がべとつくことがあった
本発明は、前記事情を鑑みてなされたものであり、マスクに化粧液を含浸させる際にパレットを用意する必要がなく、しかもマスクに含浸した化粧液の落下による化粧台や床、着衣等の汚染を容易に防止できる包装シートおよびマスク包装体を提供することを目的とする。
【課題を解決するための手段】
【０００４】
本発明は、以下の態様を包含する。
［１］  顔面パック用マスクを包装するための包装シートであって、
片面が防水面であり、
該防水面の中央に、顔面パック用マスクが配置されるマスク配置部を有し、
該マスク配置部とその周囲の部分との境界に、マスク配置部の周囲の部分をマスク配置部側に折り返すための折り返し用線が形成され、該折り返し用線は、展開した後に折り目が残留することを特徴とする包装シート。
［２］  折り返し用線が易折曲加工されている［１］に記載の包装シート。
［３］  ［１］または［２］に記載の包装シートにより顔面パック用マスクが包装されたマスク包装体であって
前記包装シートのマスク配置部に顔面パック用マスクが配置され、
包装シートのマスク配置部の周囲の部分が、前記折り返し用線にて前記顔面パック用マスクを覆うようにマスク配置部側に折り返されていることを特徴とするマスク包装体。
【発明の効果】
【０００５】
本発明の包装シートおよびマスク包装体によれば、マスクに化粧液を含浸させる際にパレットを用意する必要がなく、しかもマスクに含浸した化粧液による化粧台、カーペットを含む床、着衣等の汚染を容易に防止できる。
【発明を実施するための最良の形態】
【０００６】
＜包装シート＞
本発明の包装シートの一実施形態について説明する。
図１に、本実施形態の包装シートを示す。この包装シート１０は、顔面パック用マスク（以下、マスクと略す。）を包装するものであり、略正方形で、片面が防水面１０ａになっており、図２に示すように、マスク２０よりも大きいものである。
【０００７】
また、本実施形態の包装シート１０では、易折曲加工された易折曲線が格子状に形成されている。具体的には、包装シート１０の一辺（辺Ａ）に対して平行に第１の易折曲線１３ａおよび第２の易折曲線１３ｂが形成され、辺Ａに対して垂直に第３の易折曲線１３ｃおよび第４の易折曲線１３ｄが形成されている。
易折曲線１３ａ，１３ｂ，１３ｃ，１３ｄを形成するための易折曲加工としては、例えば、ミシン目加工、折り筋加工などが挙げられる。
ミシン目加工の方法としては、例えば、包装シート１０の、防水面１０ａと反対側の面１０ｂの、折り返し予定の位置にミシン刃を当てる方法などが挙げられる。折り筋加工の方法としては、例えば、包装シート１０の、折り返し予定の位置に、鋭利でない金属刃を押し付けて折り筋を形成する方法などが挙げられる。
【０００８】
本実施形態においては、辺Ａから第１の易折曲線１３ａまでの長さ、第２の易折曲線１３ｂから辺Ａに対向する辺Ｂまでの長さが同一にされている。第１の易折曲線１３ａから第２の易折曲線１３ｂまでの長さは、辺Ａから第１の易折曲線１３ａまでの長さ、第２の易折曲線１３ｂから辺Ｂまでの長さよりわずかに長くなっている。
また、辺Ｃから第３の易折曲線１３ｃまでの長さ、第４の易折曲線１３ｄから辺Ｃに対向する辺Ｄまでの長さが同一にされている。第３の易折曲線１３ｃから第４の易折曲線１３ｄまでの長さは、辺Ｃから第３の易折曲線１３ｃまでの長さ、第４の易折曲線１３ｄから辺Ｄまでの長さよりわずかに長くなっている。
【０００９】
ここで、包装シート１０の、辺Ａから第１の易折曲線１３ａまでの部分をシート構成部α１、第１の易折曲線１３ａから第２の易折曲線１３ｂまでの部分をシート構成部α２、第２の易折曲線１３ｂから辺Ａに対向する辺Ｂまでの部分をシート構成部α３と称する。また、辺Ｃから第３の易折曲線１３ｃまでの部分をシート構成部β１、第３の易折曲線１３ｃから第４の易折曲線１３ｄまでの部分をシート構成部β２、第４の易折曲線１３ｄから辺Ｃに対向する辺Ｄまでの部分をシート構成部β３と称する。
シート構成部α１，α３の幅は同等で、シート構成部α２の幅はシート構成部α１，α３より広くなっている。また、シート構成部β１，β３の幅は同等で、シート構成部β２の幅はシート構成部β１，β３より広くなっている。各シート構成部α１，α２，α３、β１，β２，β３がこのような幅になっていることにより、マスク２０を容易に包装できるようになっている。
【００１０】
このように易折曲線１３ａ，１３ｂ，１３ｃ，１３ｄが形成された本実施形態の包装シート１０では、防水面１０ａ側の、シート構成部α２かつシート構成部β２である略正方形の部分が、マスクが配置されるマスク配置部１１になっている。
また、易折曲線１３ａ，１３ｂ，１３ｃ，１３ｄの、マスク配置部１１とその周囲の部分１２（以下、周囲部１２という。）の境界の部分が、防水面１０ａを内側にして周囲部１２をマスク配置部１１側に折り返すための折り返し用線になっている。この折り返し用線は、包装を解くために包装シートを展開した後に折り目が残留するものである。
【００１１】
また、本実施形態の包装シート１０においては、その縁部の、第１の易折曲線１３ａの両端側の部分と、第３の易折曲線１３ｃおよび第４の易折曲線１３ｄの辺Ｂ側の部分とに、折り畳んだ際にかどが丸みを帯びるような切り欠き１４が各々形成されている。
また、包装シート１０においては、辺Ｂと辺Ｃ，Ｄとによって形成される隅部１５が丸みを帯びるように加工されている。
このような切り欠き１４の形成や隅部１５の加工によって、包装シート１０を折り畳んだ際の意匠性が向上するようになっている。
【００１２】
本実施形態における包装シート１０の材質は、紙類の片面に樹脂製の防水層が形成された積層シートである。このような積層シートでは、折り癖がより付きやすく、また、意匠性を高くできるようになる。
ここで、防水層を形成する樹脂としては、例えば、ポリエチレン、ポリプロピレン、ポリエチレンテレフタレートなどが挙げられる。この積層シートにおいては、防水層の表面が防水面１０ａになる。
【００１３】
（作用効果）
以上説明した包装シート１０は、後述するように、マスク配置部１１の防水面１０ａが上に向けられた状態で易折曲線１３ａ，１３ｂ，１３ｃ，１３ｄにて折り返されて使用される。
包装シート１０は、易折曲線１３ａ，１３ｂ，１３ｃ，１３ｄにて折り返された後には、包装を解くために展開した後に折り目が残留して、マスク配置部１１が底部の内面になるように包装シート１０に折り癖が付いている。このように折り癖の付いた包装シート１０では、マスク配置部１１に液体を滴下した際にその液体がマスク配置部１１から流れ出にくい。また、防水面１０ａ上に滴下された液体は内部に浸透しにくい。したがって、包装シート１０を、化粧液をマスクに含浸させる際のパレットとして用いることができ、パレットを別途用意する必要がない。
また、包装シート１０を、化粧液が含浸されたマスクを顔面に密着させる際に、顔面の下方の化粧台や床、着衣等の上に配置して防汚シートとして利用することもできる。
【００１４】
＜マスク包装体＞
本発明のマスク包装体の一実施形態について説明する。
図３および図４に、本実施形態のマスク包装体を示す。本実施形態のマスク包装体１は、包装シート１０によりマスク２０が包装されたものである。具体的には、包装シート１０のマスク配置部１１に、折り畳まれたマスク２０が配置されている。また、そのようにマスク２０が配置された状態で、包装シート１０の周囲部１２が、易折曲線１３ａ，１３ｂ，１３ｃ，１３ｄにて、防水面１０ａを内側としてマスク２０を覆うようにマスク配置部１１側に折り返されている。このように、包装シート１０が折り畳まれることにより、マスク２０が包装されている。
【００１５】
（マスク）
マスク包装体１を構成するマスク２０は、顔面の形状に対応した輪郭を有し、顔面に密着可能な立体形状になるように調整するための切り込みが形成されたものである。
マスク２０の材質としては、例えば、不織布、発泡シート、織物、組物などが挙げられる。
【００１６】
（包装方法）
上記マスク包装体１を得るためのマスク２０の包装方法の具体例について説明する。
まず、図５に示すように、防水面１０ａが上に向くように包装シート１０を配置し、防水面１０ａの、シート構成部α２かつシート構成部β２であるマスク配置部１１に、折り畳んだマスク２０を載せる。
次いで、図６に示すように、包装シート１０のシート構成部α１を、シート構成部α２に重なるように、防水面１０ａを内側にして第１の易折曲線１３ａにて折り返す。
次いで、図７に示すように、シート構成部α１とシート構成部α２が重なった部分の、第１の易折曲線１３ａ側の一方の隅部１６を、シート構成部α１側を内側にして折り返す。
次いで、図８に示すように、シート構成部α３を、シート構成部α２に重なるように、防水面１０ａを内側にして第２の易折曲線１３ｂにて折り返す。
次いで、図９に示すように、シート構成部β１を、シート構成部β２に重なるように、第３の易折曲線１３ｃにて折り返す。
次いで、図１０に示すように、シート構成部β３を、シート構成部β２に重なるように、第４の易折曲線１３ｄにて折り返す共に、シート構成部β３を、シート構成部β１におけるシート構成部α１，α２とシート構成部α３の間に差し込む。
これにより、図１および図２に示すような、マスク包装体１を得る。
【００１７】
（作用効果）
上記のように包装シート１０が折り畳まれたマスク包装体１では、マスク２０を取り出すために、折り畳まれた包装シート１０を展開すると、折り目が残留して、マスク配置部１１が底部になるように包装シート１０に折り癖が付き、かつ、防水面１０ａが上になる。このように展開した包装シート１０では、マスク配置部１１に液体を滴下した際にその液体がマスク配置部１１から流れ出にくく、また、防水面１０ａによって内部に浸透しにくくなっている。したがって、化粧液をマスク２０に含浸させる際のパレットとして用いることができるから、パレットを別途用意する必要がない。
展開した包装シート１０をパレットとして使用する具体的な方法としては、例えば、防水面１０ａのマスク配置部１１にあるマスク２０に化粧液を滴下して含浸させる方法が挙げられる。
【００１８】
ところで、本発明においても、化粧液を含浸させたマスク２０を顔面に密着させる際には化粧液がマスク２０から垂れ落ちる。しかし、本実施形態のマスク包装体１では、包装を解いて展開した包装シート１０を防汚シートとして用いることができる。具体的には、化粧液が含浸されたマスク２０を顔面に密着させる際に、顔面の下方に、展開した包装シート１０を配置することで、防汚シートとして利用することができる。したがって、上記マスク包装体１によれば、化粧液がマスク２０から垂れ落ちても展開した包装シート１０によって受け止めることができるため、化粧台や床、着衣等が汚れることを容易に防止できる。
【００１９】
（他の実施形態）
なお、本発明のマスク包装体は、上記実施形態に限定されない。例えば、上記実施形態では、包装シート１０に折り返し用線が易折曲加工されていたが、易折曲加工されていなくてもよい。易折曲加工されていない場合の折り返し用線としては、例えば、印刷による目印線などが挙げられる。しかし、周囲部１２を容易に折り返すことができる点では、易折曲加工されていることが好ましい。
また、本発明では、包装シート１０に切り欠き１４が形成されていなくてもよいし、包装シート１０は隅部１５に丸みが帯びるように加工されていなくてもよい。
【００２０】
また、上記実施形態における包装シート１０は略正方形であったが、例えば、正方形以外の四角形、三角形、五角形、六角形、八角形、円形などであってもよい。また、包装シート１０のマスク配置部１１も略正方形であったが、例えば、正方形以外の四角形、三角形、五角形、六角形、八角形、円形などであってもよい。
また、本発明では、包装シートの少なくとも片面が防水面になっていればよく、具体的には、両面が防水面であっても構わない。両面が防水面の包装シートとしては、例えば、樹脂製のシート、紙類の両面に樹脂製の防水層が形成された積層シートなどが挙げられる。両面が防水面の包装シートにおいては、片側の防水面にマスク配置部を有する。
【００２１】
本発明のマスク包装体は、マスク以外のものも同梱されていてもよい。例えば、化粧液が封入された袋体が同梱されていてもよい。
また、本発明のマスク包装体においては、化粧液が封入された袋体が、折り畳まれた包装シートの間に差し込まれて、マスク包装体とセットにされていてもよい。
【図面の簡単な説明】
【００２２】
【図１】本発明の包装シートの一実施形態を示す上面図である。
【図２】包装シートの大きさとマスクの大きさを比較した図である。
【図３】本発明のマスク包装体の一実施形態を示す斜視図である。
【図４】図３のＩ−Ｉ’断面図である。
【図５】図３に示すマスク包装体を得るためのマスク包装方法の一工程を示す斜視図である。
【図６】図３に示すマスク包装体を得るためのマスク包装方法の一工程を示す斜視図である。
【図７】図３に示すマスク包装体を得るためのマスク包装方法の一工程を示す斜視図である。
【図８】図３に示すマスク包装体を得るためのマスク包装方法の一工程を示す斜視図である。
【図９】図３に示すマスク包装体を得るためのマスク包装方法の一工程を示す斜視図である。
【図１０】図３に示すマスク包装体を得るためのマスク包装方法の一工程を示す斜視図である。
【符号の説明】
【００２３】
１  マスク包装体
１０  包装シート
１０ａ  防水面
１１  マスク配置部
１２  周囲部（マスク配置部の周囲の部分）
１３ａ  第１の易折曲線（易折曲線）
１３ｂ  第２の易折曲線（易折曲線）
１３ｃ  第３の易折曲線（易折曲線）
１３ｄ  第４の易折曲線（易折曲線）
１４  切り欠き
１５  隅部
２０  マスク
【図１】
0005038087.tif 000002
【図２】
0005038087.tif 000003
【図３】
0005038087.tif 000004
【図４】
0005038087.tif 000005
【図５】
0005038087.tif 000006
【図６】
0005038087.tif 000007
【図７】
0005038087.tif 000008
【図８】
0005038087.tif 000009
【図９】
0005038087.tif 000010
【図１０】
0005038087.tif 000011